(57)【要約】【課題】回路面積の増大を抑制しながら保持容量線に対して容量電圧信号を好適に供給する。【解決手段】電気光学装置（１００）は、Ｎ本の走査線（１３）と、保持容量を形成するＮ本の保持容量線（ＳＣ）と、Ｎ個の走査線駆動ユニット（３１）を備える走査線駆動回路（３）と、後段行の走査線駆動ユニットから供給される走査信号がオン電圧となるタイミングに同期して、保持容量線に対して容量電圧信号を順次供給するＮ個の保持容量線駆動ユニット（５１）を備える保持容量線駆動回路（５）とを備え、最終行の保持容量線駆動ユニットは、Ｎ本の走査線への一連の走査信号の供給が開始されるタイミングに同期してオン電圧に切り替わる制御信号（ＳＴＶ）がオン電圧となるタイミングに同期して保持容量線に容量電圧信号を供給する。【選択図】図６
2010197485.tif 000002
【特許請求の範囲】
【請求項１】
Ｎ（但し、Ｎは２以上の整数）本の走査線と、
前記Ｎ本の走査線と交差する複数のデータ線と、
前記Ｎ本の走査線と前記複数のデータ線との交差に対応してマトリクス状に配置される複数の画素部と、
前記Ｎ本の走査線に沿って伸張すると共に、前記複数の画素部の保持容量を形成するＮ本の保持容量線と、
前記Ｎ本の走査線の夫々に対して、所定のタイミングでオン電圧となる走査信号を順次供給するＮ個の走査線駆動ユニットを備える走査線駆動回路と、
後段行の前記走査線駆動ユニットから供給される走査信号がオン電圧となるタイミングに同期して、前記Ｎ本の保持容量線の夫々に対して容量電圧信号を順次供給するＮ個の保持容量線駆動ユニットを備える保持容量線駆動回路と
を備え、
前記Ｎ個の保持容量線駆動ユニットのうち最終行の保持容量線駆動ユニットは、後段行の前記走査線駆動ユニットからオン電圧の走査信号が供給されるタイミングに同期することに代えて、前記Ｎ本の走査線への一連の走査信号の供給が開始されるタイミングに同期してオン電圧に切り替わる制御信号がオン電圧となるタイミングに同期して前記保持容量線に前記容量電圧信号を供給することを特徴とする電気光学装置。
【請求項２】
前記制御信号は、前記オン電圧の走査信号の供給が開始されるためのトリガーとなる走査開始信号であることを特徴とする請求項１に記載の電気光学装置。
【請求項３】
走査開始信号は、前記走査線駆動回路及び前記保持容量線駆動回路の外部に設けられるドライバＩＣから前記走査線駆動回路及び前記保持容量線駆動回路に供給される信号であることを特徴とする請求項２に記載の電気光学装置。
【請求項４】
前記制御信号は、前記Ｎ個の走査線駆動ユニットのうち開始行の前記走査線駆動ユニットが供給する走査信号であることを特徴とする請求項１に記載の電気光学装置。
【請求項５】
前記最終行の容量線駆動ユニットは、最終行の前記走査線駆動ユニットから供給される走査信号がオフ電圧となり、前記制御信号がオン電圧となるタイミングに同期して前記保持容量線に前記容量電圧信号を供給することを特徴とする請求項１から４のいずれか一項に記載の電気光学装置。
【請求項６】
前記Ｎ個の保持容量線駆動ユニットの夫々は、前段行の前記走査線駆動ユニットから前記オン電圧の走査信号が供給されるタイミングに同期して、前記Ｎ本の保持容量線の夫々に対して容量電圧信号を順次供給し、
前記Ｎ個の容量線駆動ユニットのうち開始行の前記容量線駆動ユニットは、前段行の前記走査線駆動ユニットから前記オン電圧の走査信号が供給されるタイミングに同期することに代えて、前記制御信号がオン電圧となるタイミングに同期して前記保持容量線に前記容量電圧信号を供給することを特徴とする請求項１から５のいずれか一項に記載の電気光学装置。
【請求項７】
請求項１から６のいずれか一項に記載の電気光学装置を備えることを特徴とする電子機器。
【発明の詳細な説明】
【技術分野】
【０００１】
本発明は、例えば液晶装置等の電気光学装置、及びこのような電気光学装置を備える電子機器の技術分野に関する。
【背景技術】
【０００２】
この種の電気光学装置として、一対の素子基板及び対向基板間に、電気光学物質の一例である液晶が挟持される液晶装置が一例としてあげられる。素子基板上における画素領域には、走査線及びデータ線の交差に対応して画素電極を含む画素部が形成されることにより、複数の画素部がマトリクス状に平面配列される。そして、各画素部には、画素スイッチング素子として、例えば薄膜トランジスタ（Thin Film Transistor；以下適宜、「ＴＦＴ」と称する）が含まれる。電気光学装置の駆動時、各画素部において、走査線より走査信号が供給されることにより画素スイッチング素子がオン状態となると、データ線より画素スイッチング素子を介して画素電極に画像信号が供給される。また、典型的には、複数の画素電極に対応して、画素領域の概ね全体に、複数の画素部に共通に共通電極がベタ状に形成されている。そして、液晶装置の駆動時には、画素電極と共通電極との間の電位差に基づく印加電圧が液晶に印加される。その結果、液晶の配向や秩序が制御され、画像表示が可能となる。
【０００３】
ところで、液晶装置には、適用される電子機器の特性、特長及び用途等から、低消費電力が強く求められている。この一方、データ線は高い周波数で駆動され且つ液晶の駆動には通常１０ボルト以上の高い電圧振幅が必要であるため、データ線には高い電圧振幅を有する画像信号が供給されるのが一般的である。
【０００４】
このような低消費電力化の要請に応えるために、データ線に供給されるデータ信号（画像信号）の電位が正極性書込に対応するものであるか又は負極性書込に対応するものであるかに応じて、液晶と並列に接続される保持容量を形成する保持容量線の電位を、高位側又は低位側にシフトさせることにより、データ線に供給される画像信号の電圧振幅を低減させ、その結果、低消費電力化を実現する蓄積容量線（Storage Swinging Line）駆動を採用する液晶装置が開発されている（例えば、特許文献１参照）。
【０００５】
ここで、保持容量線を駆動する（つまり、保持容量線に対して高位側又は低位側の容量電圧信号を供給する）ための保持容量線駆動回路は、画素領域に対して、走査線に走査信号を供給するための走査線駆動回路と同じ側の辺に沿って又は対向する側の辺に沿って配置されるのが一般的である。この場合、保持容量線駆動回路を配置するために、液晶装置上での回路面積が増大してしまう。このため、特許文献１に開示された構成では、走査線駆動回路に対して保持容量線駆動回路を追加すると共に走査信号を生成するためのシフトレジスタ出力を保持容量線駆動回路に対して入力することで、回路面積の増大を抑制している。
【先行技術文献】
【特許文献】
【０００６】
【特許文献１】特開２００６−２２０９４７号公報
【発明の概要】
【発明が解決しようとする課題】
【０００７】
ここで、保持容量線駆動回路では、以下のような動作を行うことで保持容量線に対して容量電圧信号を供給している。具体的には、保持容量線駆動回路は、各行毎に保持容量線駆動ユニットを備えると共に、第ｋ（但し、ｋは１以上の整数）行の保持容量線駆動ユニットは、第ｋ＋１行の走査線に対してオン電圧の走査信号が供給されるタイミングで、電位レベルを切り替えた容量電圧信号を第ｋ行の保持容量線に対して供給する。つまり、ある行の保持容量線駆動ユニットは、後段行の走査線駆動ユニットから供給される走査信号がオン電圧になるタイミングで、電位レベルを切り替えた容量電圧信号を供給する。
【０００８】
しかしながら、後段行の走査線駆動ユニットから供給される走査信号がオン電圧になるタイミングで電位レベルを切り替えた容量電圧信号を供給するためには、例えばＮ本（つまり、Ｎ行）の保持容量線が形成されている場合には、Ｎ＋１個の走査線駆動ユニットが必要となる。更に、単方向スキャンのみならず双方向スキャンに対応させる場合には、Ｎ＋２個の走査線駆動ユニットが必要となる。一方で、実際には、Ｎ本（つまり、Ｎ行）の走査線に対して走査信号を供給するためには、Ｎ個の走査線駆動ユニットがあれば足りる。このため、１個又は２個の走査線駆動ユニットを、保持容量線を駆動するためだけに別途配置する必要がある。しかしながら、これは、液晶装置に対する小型化の要請に反しており、好ましいとは言い難いのが現状である。
【０００９】
本発明は、例えば上述した従来の問題点に鑑みなされたものであり、例えば回路面積の増大を抑制しながら保持容量線に対して容量電圧信号を好適に供給することが可能な電気光学装置、及びこのような電気光学装置を備える電子機器を提供することを課題とする。
【課題を解決するための手段】
【００１０】
（電気光学装置）
本発明の電気光学装置は、Ｎ（但し、Ｎは２以上の整数）本の走査線と、前記Ｎ本の走査線と交差する複数のデータ線と、前記Ｎ本の走査線と前記複数のデータ線との交差に対応してマトリクス状に配置される複数の画素部と、前記Ｎ本の走査線に沿って伸張すると共に、前記複数の画素部の保持容量を形成するＮ本の保持容量線と、前記Ｎ本の走査線の夫々に対して、所定のタイミングでオン電圧となる走査信号を順次供給するＮ個の走査線駆動ユニットを備える走査線駆動回路と、後段行の前記走査線駆動ユニットから供給される走査信号がオン電圧となるタイミングに同期して、前記Ｎ本の保持容量線の夫々に対して容量電圧信号を順次供給するＮ個の保持容量線駆動ユニットを備える保持容量線駆動回路とを備え、前記Ｎ個の保持容量線駆動ユニットのうち最終行の保持容量線駆動ユニットは、後段行の前記走査線駆動ユニットからオン電圧の走査信号が供給されるタイミングに同期することに代えて、前記Ｎ本の走査線への一連の走査信号の供給が開始されるタイミングに同期してオン電圧に切り替わる制御信号がオン電圧となるタイミングに同期して前記保持容量線に前記容量電圧信号を供給する。
【００１１】
本発明の電気光学装置によれば、例えば画像信号であるデータ信号が供給される複数のデータ線と走査信号が供給されるＮ本の走査線との交差位置に対応するように設けられる複数の画素部を備ええている。複数の画素部の夫々は、画素部毎に設けられる画素電極と、一又は複数の画素部に対応するように設けられる一又は複数の共通電極と、画素電極と共通電極との間に挟持される電気光学物質とを備えている。また、電気光学装置は、画素電極、電気光学物質及び共通電極と並列接続の関係を有する保持容量を備えている。保持容量は、Ｎ本の走査線に沿って夫々伸張するＮ本の保持容量線によって構成されている。そして、複数の画素電極と一又は複数の共通電極との間の電位差に起因した電圧が電気光学物質に印加されると共に、該電圧が保持容量によって保持されることで、画像表示等が行われる。
【００１２】
このような電気光学装置の駆動を実現するため、電気光学装置は、走査線駆動回路と、保持容量線駆動回路とを備えている。
【００１３】
走査線駆動回路は、Ｎ本の走査線に対して、所定のタイミングでオン電圧となる走査信号を順次供給する。より具体的には、走査線駆動回路は、Ｎ本の走査線に対応するＮ個の走査線駆動ユニットを備えている。Ｎ個の走査線駆動ユニットの夫々は、Ｎ本の走査線のうちの対応する走査線に対して、所定のタイミングでオン電圧となる走査信号を供給する。より具体的には、Ｎ個の走査線駆動ユニットのうち第ｋ（但し、ｋは、１≦ｋ≦Ｎを満たす整数）行の走査線駆動ユニットは、Ｎ本の走査線のうち第ｋ行の走査線に対して、所定のタイミングでオン電圧となる走査信号を供給する。その結果、オン電圧の走査信号が供給された走査線に対応する行の画素電極が選択される。これにより、オン電圧の走査信号が供給された走査線に対応する行の画素電極に対してデータ信号の書き込みが行われる。この動作がＮ本の走査線に対して順に行われることで、電気光学装置における画像表示が行われる。
【００１４】
保持容量線駆動回路は、Ｎ本の保持容量線に対して容量電圧信号を供給する。より具体的には、保持容量線駆動回路は、Ｎ本の保持容量線に対応するＮ個の保持容量線駆動ユニットを備えている。Ｎ個の保持容量線駆動ユニットの夫々は、Ｎ本の保持容量線のうちの対応する保持容量線に対して容量電圧信号を供給する。より具体的には、Ｎ個の保持容量線駆動ユニットのうち第ｋ行の保持容量線駆動ユニットは、Ｎ本の保持容量線のうち第ｋ行の保持容量線に対して容量電圧信号を供給する。このとき、第ｋ行の保持容量線駆動ユニットは、スキャン方向に沿って後段行の走査線駆動ユニット（つまり、順方向スキャンを行っている場合には第ｋ＋１行の走査線駆動ユニットであり、逆方向スキャンを行っている場合には第ｋ−１行の走査線駆動ユニット）から供給される走査信号がオン電圧となるタイミングに同期して、極性（或いは、電位レベル）を切り替えた容量電圧信号を供給する。
【００１５】
尚、保持容量線駆動回路は、隣接する２つの行の保持容量線に、夫々異なる電位レベルの容量電圧信号を供給することが好ましい。この容量電圧信号の供給動作は、１垂直走査期間毎に電位レベルが切り替わる極性信号に応じて行われる。例えば、極性信号の電位レベルが第１レベルである場合には、保持容量線駆動回路は、奇数行の保持容量線に対して、第１の電位レベル（例えば、相対的にハイレベルな電位レベル）を有する容量電圧信号を供給する一方で、偶数行の保持容量線に対して、第２の電位レベル（例えば、相対的にローレベルな電位レベル）を有する容量電圧信号を供給する。他方で、例えば、極性信号の電位レベルが第１レベルとは異なる第２レベルである場合には、保持容量線駆動回路は、奇数行の保持容量線に対して、第２の電位レベルを有する容量電圧信号を供給する一方で、偶数行の保持容量線に対して、第１の電位レベルを有する容量電圧信号を供給する。
【００１６】
加えて、極性信号の電位レベルが１垂直走査期間毎に切り替わるため、各保持容量線に供給される容量電圧信号の電位レベルは、１垂直走査期間毎に切り替えられることが好ましい。具体的には、例えば、ある行の保持容量線に対して第１の電位レベルを有する容量電圧信号が供給されている場合には、１垂直走査期間後には、ある行の保持容量線に対して供給される容量電圧信号の電位レベルが第１の電位レベルから第２の電位レベルへと切り替えられる。同様に、例えば、ある行の保持容量線に対して第２の電位レベルを有する容量電圧信号が供給されている場合には、１垂直走査期間後には、ある行の保持容量線に供給される容量電圧信号の電位レベルが第２の電位レベルから第１の電位レベルへと切り替えられる。
【００１７】
ここで、本発明に係る電気光学装置では、Ｎ個の走査線駆動ユニットとＮ個の保持容量線駆動ユニットを備えているため、最終行の保持容量線駆動ユニット（つまり、順方向スキャンを行っている場合には第Ｎ行の保持容量線駆動ユニットであり、逆方向スキャンを行っている場合には第１行の保持容量線駆動ユニット）に対しては、後段行の走査線駆動ユニット（つまり、順方向スキャンを行っている場合には第Ｎ＋１行の走査線駆動ユニットであり、逆方向スキャンを行っている場合には第０行の走査線駆動ユニット）が存在しない。このため、本発明に係る電気光学装置では、最終行の保持容量線駆動ユニットは、後段行の走査線駆動ユニットからオン電圧の走査信号が供給されるタイミングに同期することに代えて、所定の制御信号がオン電圧となるタイミングに同期して、電位レベルを切り替えた容量電圧信号を最終行の保持容量線に対して供給する。制御信号は、Ｎ本の走査線への一連の走査信号の供給が開始されるタイミングに同期してオン電圧に切り替わる信号であり、典型的には例えば１垂直走査期間に１回オン電圧となる又は１垂直走査期間の開始に同期してオン電圧となる信号である。
【００１８】
ここで、制御信号は、Ｎ本の走査線への一連の走査信号の供給が開始されるタイミングに同期してオン電圧となる信号であるため、最終行の走査線駆動ユニットから供給される走査信号がオン電圧となった後にオン電圧となる信号である。このため、仮に最終行の保持容量線駆動ユニットが、制御信号がオン電圧となるタイミングに同期して、電位レベルを切り替えた容量電圧信号を最終行の保持容量線に対して供給したとしても、その時点で最終行への画像信号の書き込みは終了しているため、電気光学装置の動作に対して技術的な不都合をきたすことは殆ど或いは全くない。このため、最終行の保持容量線駆動ユニットに対応する後段行の走査線駆動ユニットが存在しない場合であっても、制御信号に基づいて容量電圧信号を供給することで、最終行の保持容量線に対する容量電圧信号の供給を好適に行うことができる。つまり、走査線駆動ユニットの数を保持容量線駆動ユニットの数と同一にした場合であっても、最終行の保持容量線に対する容量電圧信号の供給を好適に行うことができる。これにより、走査線駆動ユニットを１つ又は２つ以上余分に設ける必要がなくなるため、走査線駆動回路の回路面積の増大を好適に抑制しつつも、Ｎ本の保持容量線の夫々に対して容量電圧信号を好適に供給することができる。
【００１９】
本発明の電気光学装置の一の態様では、前記制御信号は、前記オン電圧の走査信号の供給が開始されるためのトリガーとなる走査開始信号（例えば、後述の信号ＳＴＶ）である。
【００２０】
この態様によれば、Ｎ本の走査線に対する走査信号の供給の開始のトリガーとなる走査開始信号がオン電圧となるタイミングに同期して、電位レベルを切り替えた容量電圧信号を最終行の保持容量線に対して供給することができる。このため、走査線駆動ユニットの数を保持容量線駆動ユニットの数と同一にした場合であっても、Ｎ本の保持容量線の夫々に対して容量電圧信号を好適に供給することができる。
【００２１】
上述の如く制御信号が走査開始信号である電気光学装置の態様では、走査開始信号は、前記走査線駆動回路及び前記保持容量線駆動回路の外部に設けられるドライバＩＣから前記走査線駆動回路及び前記保持容量線駆動回路に供給される信号であるように構成してもよい。
【００２２】
このように構成すれば、走査開始信号を保持容量線駆動回路に対して供給するための電気配線を相対的に短くすることができる。
【００２３】
本発明の電気光学装置の他の態様では、前記制御信号は、前記Ｎ個の走査線駆動ユニットのうち開始行の前記走査線駆動ユニットが供給する走査信号である。
【００２４】
この態様によれば、仮に最終行の保持容量線駆動ユニットが、開始行の走査線駆動ユニット（つまり、順方向スキャンを行っている場合には第１行の走査線駆動ユニットであり、逆方向スキャンを行っている場合には第Ｎ行の走査線駆動ユニット）が供給する走査信号がオン電圧となるタイミングに同期して、電位レベルを切り替えた容量電圧信号を最終行の保持容量線に対して供給したとしても、その時点で最終行への画像信号の書き込みは終了しているため、電気光学装置の動作に対して技術的な不都合をきたすことは殆ど或いは全くない。このため、走査線駆動ユニットの数を保持容量線駆動ユニットの数と同一にした場合であっても、最終行の保持容量線に対する容量電圧信号の供給を好適に行うことができる。これにより、走査線駆動回路の回路面積の増大を好適に抑制することができるため、上述した各種効果を好適に享受することができる。
【００２５】
本発明の電気光学装置の他の態様では、前記最終行の容量線駆動ユニットは、最終行の前記走査線駆動ユニットから供給される走査信号がオフ電圧となり、前記制御信号がオン電圧となるタイミングに同期して前記保持容量線に前記容量電圧信号を供給する。
【００２６】
この態様によれば、最終行の保持容量線駆動ユニットは、制御信号のみならず最終行の走査線駆動ユニットから供給される走査信号をも監視しながら、最終行の保持容量線に対して容量電圧信号を供給することができる。
【００２７】
ここで、制御信号は、走査信号とは別個独立に供給される信号であることも想定されるため、最終行の走査線に供給される走査信号がオン電圧となるタイミングと制御信号がオン電圧となるタイミングに意図せぬズレが生じてしまう可能性も否定できない。この場合であっても、この態様によれば、制御信号がオン電圧となり且つ最終行の走査線駆動ユニットから供給される走査信号がオフ電圧となるタイミングに同期して、電位レベルを切り替えた容量電圧信号を最終行の保持容量線に対して供給することができる。従って、最終行の走査線駆動ユニットから供給される走査信号がオン電圧となっている期間中に、電位レベルが切り替えられた容量電圧信号が最終行の保持容量線に対して供給されてしまうという技術的な不都合を好適に抑制することができる。言い換えれば、最終行への画像信号の書き込みが行われている途中のタイミングで、電位レベルが切り替えられた容量電圧信号が最終行の保持容量線に対して供給されてしまう技術的な不都合を好適に抑制することができる。これにより、制御信号を用いた場合であっても、電気光学装置の動作に対して技術的な不都合をきたすことは殆ど或いは全くない。従って、電気光学装置の安定的な動作を実現することができる。
【００２８】
本発明の電気光学装置の他の態様では、前記Ｎ個の保持容量線駆動ユニットの夫々は、前段行の前記走査線駆動ユニットから前記オン電圧の走査信号が供給されるタイミングに同期して、前記Ｎ本の保持容量線の夫々に対して容量電圧信号を順次供給し、前記Ｎ個の容量線駆動ユニットのうち開始行の前記容量線駆動ユニットは、前段行の前記走査線駆動ユニットから前記オン電圧の走査信号が供給されるタイミングに同期することに代えて、前記制御信号がオン電圧となるタイミングに同期して前記保持容量線に前記容量電圧信号を供給する。
【００２９】
この態様によれば、第ｋ行の保持容量線駆動ユニットは、後段行の走査線駆動ユニットから供給される走査信号がオン電圧となるタイミングのみならず、前段行の走査線駆動ユニット（つまり、順方向スキャンを行っている場合には第ｋ−１行の走査線駆動ユニットであり、逆方向スキャンを行っている場合には第ｋ＋１行の走査線駆動ユニット）から供給される走査信号がオン電圧となるタイミングに同期して、電位レベルを切り替えた容量電圧信号を供給することができる。従って、単方向スキャンに対応する電気光学装置のみならず、双方向スキャンに対応する電気光学装置についても、上述した各種効果を好適に享受することができる。
【００３０】
（電子機器）
上記課題を解決するために、本発明の電子機器は、上述した本発明の電気光学装置（但し、その各種態様を含む）を備える。
【００３１】
本発明の電子機器によれば、上述した本発明の電気光学装置（或いは、その各種態様）備えているため、上述した本発明の電気光学装置が享受する各種効果と同様の効果を享受することができる。つまり、上述した本発明の電気光学装置が享受する各種効果と同様の効果を享受することができる投射型表示装置、テレビ、携帯電話、電子手帳、携帯オーディオプレーヤ、ワードプロセッサ、デジタルカメラ、ビューファインダ型又はモニタ直視型のビデオレコーダ、ワークステーション、テレビ電話、ＰＯＳ端末、タッチパネルなどの各種電子機器を実現することができる。
【００３２】
本発明の作用及び他の利得は次に説明する実施の形態から更に明らかにされよう。
【図面の簡単な説明】
【００３３】
【図１】本実施形態に係る液晶装置の基本構成を概念的に示す平面ブロック図である。
【図２】本実施形態による画素部の回路図である。
【図３】本実施形態に係る走査線駆動回路と保持容量線駆動回路との間の配線図である。
【図４】本実施形態に係る保持容量線駆動回路が備える保持容量線駆動ユニットの回路図である。
【図５】保持容量線駆動回路のリセット動作に伴う信号の時系列的な変化を示すタイミングチャートである。
【図６】保持容量線駆動ユニットによる保持容量線の駆動動作に伴う信号の時系列的な変化を示すタイミングチャートである。
【図７】変形例に係る走査線駆動回路と保持容量線駆動回路との間の配線図である。
【図８】液晶装置が適用されたモバイル型のパーソナルコンピュータの斜視図である。
【図９】液晶装置が適用された携帯電話の斜視図である。
【発明を実施するための形態】
【００３４】
以下、本発明を実施するための形態を、図面に基づいて説明する。尚、以下では、本発明に係る電気光学装置の一例として、液晶装置を用いて説明を進める。
【００３５】
（１）液晶装置の基本構成
初めに、図１及び図２を参照して、本実施形態に係る液晶装置１００の基本構成について説明する。ここに、図１は、本実施形態に係る液晶装置１００の基本構成を概念的に示す平面ブロック図であり、図２は、本実施形態による画素部２１の回路図である。
【００３６】
図１に示すように、本実施形態に係る液晶装置１００は、基板１上に形成される表示部２と、走査線駆動回路３と、データ線駆動回路４と、保持容量線駆動回路５ａ及び保持容量線駆動回路５ｂと、ドライバＩＣ１２とにより構成されている。また、表示部２には、Ｎ（但し、Ｎは２以上の整数）本の走査線１３と、Ｍ（但し、Ｍは２以上の整数）本のデータ線１４とが交差するように配置されている。Ｎ本の走査線１３の夫々は、走査線駆動回路３に接続されていると共に、Ｍ本のデータ線１４の夫々は、データ線駆動回路４に接続されている。また、Ｎ本の走査線１３に沿うように、Ｎ本の保持容量線ＳＣが配置されている。Ｎ本の保持容量線ＳＣの夫々の一方端と他方端とは、保持容量線駆動回路５ａと保持容量線駆動回路５ｂとに接続されている。尚、本実施形態では、保持容量線駆動回路５ａと保持容量線駆動回路５ｂとは、表示部２を挟んで対向するように配置されている。
【００３７】
保持容量線駆動回路５ｂは、ドライバＩＣ１２に接続されており、リセット信号Ｓ＿ＲＳＴ、極性信号ＰＯＬ、反転極性信号ＸＰＯＬ、容量電圧信号ＶＣＯＭＨ及び容量電圧信号ＶＣＯＭＬの信号が入力されるように構成されている。尚、リセット信号Ｓ＿ＲＳＴは、保持容量線駆動回路５ａ及び５ｂの夫々の動作をリセットする（言い換えれば、Ｎ本の保持容量線ＳＣをリセットする）ためのリセット信号である。また、極性信号ＰＯＬは、保持容量線ＳＣに対して供給される容量電圧信号の電位レベル（或いは、極性）を決定するための極性信号である。また、反転極性信号ＸＰＯＬは、極性信号ＰＯＬの反転信号である。また、容量電圧信号ＶＣＯＭＨは、保持容量線ＳＣに印加されるハイレベルの容量電圧信号であり、容量電圧信号ＶＣＯＭＬは、保持容量線ＳＣに印加されるローレベルの容量電圧信号である。保持容量線駆動回路５ａと保持容量線駆動回路５ｂとは電気的に接続されており、保持容量線駆動回路５ｂから保持容量線駆動回路５ａに、リセット信号Ｓ＿ＲＳＴ、極性信号ＰＯＬ、反転極性信号ＸＰＯＬ、容量電圧信号ＶＣＯＭＨ及び容量電圧信号ＶＣＯＭＬの夫々が伝達されるように構成されている。
【００３８】
走査線駆動回路３は、ドライバＩＣ１２と接続されており、走査開始信号ＳＴＶ、クロック信号ＶＣＬＫ１、クロック信号ＶＣＬＫ２及びリセット信号Ｖ＿ＲＳＴの信号が入力されるように構成されている。尚、走査開始信号ＳＴＶは、本発明における「制御信号」の一具体例を構成しており、走査線駆動回路３による一連の走査信号の供給を開始する際のトリガーとなる信号である。また、クロック信号ＶＣＬＫ１及びクロック信号ＶＣＬＫ２は、走査線駆動回路３による走査信号の供給のためのクロック信号である。また、リセット信号Ｖ＿ＲＳＴは、走査線駆動回路３の動作をリセットするための信号である。
【００３９】
また、ドライバＩＣ１２は、走査線駆動回路３に加えて、保持容量線駆動回路５ａに対しても走査開始信号ＳＴＶを供給する。また、保持容量線駆動回路５ａから保持容量線駆動回路５ｂに対して、走査開始信号ＳＴＶが伝達される。
【００４０】
データ線駆動回路４は、ドライバＩＣ１２と接続されている。また、基板１の表面上には、後述する共通電極２１３と接続されるコンタクト部１０が４つ形成されている。コンタクト部１０は、夫々、配線を介してドライバＩＣ１２に接続されている。また、基板１の端部には、ドライバＩＣ１２と接続される接続端子１１が形成されている。
【００４１】
また、図２に示すように、走査線１３と、データ線１４とが交差する位置には画素部２１が設けられている。画素部２１は、走査線１３にゲートが接続されると共に、データ線１４にソース／ドレインの一方が接続されるトランジスタ２１１と、トランジスタ２１１のソース／ドレインの他方に接続される画素電極２１２と、画素電極２１２と対向するように設けられる共通電極２１３と、画素電極２１２と共通電極２１３との間に設けられる液晶２１４と、保持容量２１５とによって構成されている。なお、保持容量２１５は、画素電極２１２と保持容量線ＳＣとの間に形成される。
【００４２】
（２）駆動回路の詳細な構成
続いて、図３及び図４を参照して、走査線駆動回路３及び保持容量線駆動回路５についてより詳細に説明する。ここに、図３は、本実施形態に係る走査線駆動回路３と保持容量線駆動回路５との間の配線図であり、図４は、本実施形態に係る保持容量線駆動回路５が備える保持容量線駆動ユニット５１の回路図である。
【００４３】
図３に示すように、走査線駆動回路３は、走査線１３の数と同じ数の走査線駆動ユニット３１を備えている。つまり、走査線駆動回路３は、Ｎ個の走査線駆動ユニット３１を備えている。Ｎ個の走査線駆動ユニット３１の夫々は、Ｎ本の走査線１３のうちの対応する走査線１３に対して、所定のタイミングでオン電圧となる走査信号ＧＡＴＥを供給する。より具体的には、Ｎ個の走査線駆動ユニット３１のうち第ｋ（但し、ｋは、１≦ｋ≦Ｎを満たす整数）行の走査線駆動ユニット３１＃ｋは、Ｎ本の走査線１３のうち第ｋ行の走査線１３に対して、所定のタイミングでオン電圧となる走査信号ＧＡＴＥ＿ｋを供給する。
【００４４】
保持容量線駆動回路５は、保持容量線ＳＣの数と同じ数の保持容量線駆動ユニット５１を備えている。つまり、保持容量線駆動回路５は、Ｎ個の保持容量線駆動ユニット５１を備えている。Ｎ個の保持容量線駆動ユニット５１の夫々は、Ｎ本の保持容量線ＳＣのうちの対応する保持容量線ＳＣに対して容量電圧信号ＶＣＯＭＨ又は容量電圧信号ＶＣＯＭＬを供給する。より具体的には、Ｎ個の保持容量線駆動ユニット５１のうち第ｋ行の保持容量線駆動ユニット５１＃ｋは、Ｎ本の保持容量線ＳＣのうち第ｋ行の保持容量線ＳＣ＃ｋに対して容量電圧信号ＶＣＯＭＨ又はＶＣＯＭＬを供給する。
【００４５】
また、第ｋ行の保持容量線駆動ユニット５１＃ｋには、第ｋ−１行の走査線駆動ユニット３１＃ｋ−１から供給される走査信号ＧＡＴＥ＿ｋ−１、第ｋ行の走査線駆動ユニット３１＃ｋから供給される走査信号ＧＡＴＥ＿ｋ、及び第ｋ＋１行の走査線駆動ユニット３１＃ｋ＋１から供給される走査信号ＧＡＴＥ＿ｋ＋１の夫々が入力されている。
【００４６】
ここで、本実施形態では、走査線駆動回路３がＮ個の走査線駆動ユニット３１を有している。このため、第Ｎ行の保持容量線駆動ユニット５１＃Ｎには、第Ｎ−１行の走査線駆動ユニット３１＃Ｎ−１から供給される走査信号ＧＡＴＥ＿Ｎ−１及び第Ｎ行の走査線駆動ユニット３１＃Ｎから供給される走査信号ＧＡＴＥ＿Ｎを入力することはできるものの、第Ｎ＋１行の走査線駆動ユニット３１＃Ｎ＋１が存在しないため、第Ｎ＋１行の走査線駆動ユニット３１＃Ｎ＋１から供給される走査信号ＧＡＴＥ＿Ｎ＋１を入力することができない。同様に、第１行の容量線駆動ユニット５１＃１には、第１行の走査線駆動ユニット３１＃１から供給される走査信号ＧＡＴＥ＿１及び第２行の走査線駆動ユニット３１＃２から供給される走査信号ＧＡＴＥ＿２を入力することはできるものの、第０行の走査線駆動ユニット３１＃０が存在しないため、第０行の走査線駆動ユニット３１＃０＋１から供給される走査信号ＧＡＴＥ＿０を入力することができない。
【００４７】
このため、本実施形態では、第Ｎ行の走査線駆動ユニット３１＃Ｎに対して、第Ｎ＋１行の走査線駆動ユニット３１＃Ｎ＋１から供給される走査信号ＧＡＴＥ＿Ｎ＋１の代わりに、走査開始信号ＳＴＶを入力している。同様に、第１行の走査線駆動ユニット３１＃１に対して、第０行の走査線駆動ユニット３１＃０から供給される走査信号ＧＡＴＥ＿０の代わりに、走査開始信号ＳＴＶを入力している。
【００４８】
以下、この走査信号ＧＡＴＥ＿ｋ−１、走査信号ＧＡＴＥ＿ｋ及び走査信号ＧＡＴＥ＿ｋ＋１並びに走査開始信号ＳＴＶが入力される保持容量線駆動ユニット５１の詳細な構成について、図４を参照しながら以下に詳述する。
【００４９】
尚、図３に示すように、保持容量線駆動回路５は、Ｎ個の保持容量線駆動ユニット５１から構成されているが、図４では、図面の簡略化のため、２行分の保持容量線駆動ユニット５１（具体的には、第ｋ行の保持容量線駆動ユニット５１＃ｋ及び第ｋ＋１行の保持容量線駆動ユニット５１＃ｋ＋１）のみを図示している。
【００５０】
図４に示すように、保持容量線駆動ユニット５１＃ｋは、ｎチャネルトランジスタＮＴ１からＮＴ１１と、ｐチャネルトランジスタＰＴ１と、ラッチ回路５２及びラッチ回路５３と、インバータ５４とから構成されている。以下、ｎチャネルトランジスタおよびｐチャネルトランジスタは、トランジスタと称する。
【００５１】
トランジスタＮＴ１のソース／ドレインの一方は、ローレベルの電位レベルを有する低位電源ＶＥＥに接続されている。トランジスタＮＴ１のソース／ドレインの他方は、トランジスタＮＴ２のソース／ドレインの一方に接続されている。トランジスタＮＴ１のゲートは、走査信号Ｇａｔｅ＿ｋが供給される第ｋ行の走査線１３、第ｋ−１行の保持容量線駆動ユニット５１＃ｋ−１が備えるトランジスタＮＴ１０のゲート及び第ｋ＋１行の保持容量線駆動ユニット５１＃ｋ＋１が備えるトランジスタＮＴ９のゲートの夫々に接続されている。トランジスタＮＴ２のソース／ドレインの他方は、ラッチ回路５２の端子Ｑに接続されている。トランジスタＮＴ２のゲートは、極性信号ＰＯＬが供給される信号線に接続されている。
【００５２】
トランジスタＮＴ３のソース／ドレインの一方は、ラッチ回路５２の端子／Ｑに接続されている。トランジスタＮＴ３のソース／ドレインの他方は、トランジスタＮＴ４のソース／ドレインの一方に接続されている。トランジスタＮＴ３のゲートは、反転極性信号ＸＰＯＬが供給される信号線に接続されている。トランジスタＮＴ４のソース／ドレインの他方は、ローレベルの電位レベルを有する低位電源ＶＥＥに接続されている。トランジスタＮＴ４のゲートは、走査信号Ｇａｔｅ＿ｋが供給される第ｋ行の走査線１３、第ｋ−１行の保持容量線駆動ユニット５１＃ｋ−１が備えるトランジスタＮＴ１０のゲート及び第ｋ＋１行の保持容量線駆動ユニット５１＃ｋ＋１が備えるトランジスタＮＴ９のゲートの夫々に接続されている。
【００５３】
トランジスタＮＴ５のソース／ドレインの一方は、ローレベルの電位レベルを有する低位電源ＶＥＥに接続されている。トランジスタＮＴ５のソース／ドレインの他方は、ラッチ回路５２の端子Ｑに接続されている。トランジスタＮＴ５のゲートは、リセット信号Ｓ＿ＲＳＴが供給される信号線に接続されている。
【００５４】
また、トランジスタＮＴ６のソース／ドレインの一方は、トランジスタＮＴ８のソース／ドレインの他方に接続されている。トランジスタＮＴ６のソース／ドレインの他方は、ラッチ回路５３の端子Ｑに接続されている。トランジスタＮＴ６のゲートは、ラッチ回路５２の端子Ｑに接続されている。トランジスタＮＴ７のソース／ドレインの一方は、ラッチ回路５３の端子／Ｑに接続されている。トランジスタＮＴ７のソース／ドレインの他方は、トランジスタＮＴ９のソース／ドレインの他方に接続されている。トランジスタＮＴ７のゲートは、ラッチ回路５２の端子／Ｑに接続されている。
【００５５】
インバータ５４の入力端子は、ラッチ回路５３の端子Ｑに接続されていると共に、インバータ５４の出力端子は、トランジスタＰＴ１のゲート及びトランジスタＮＴ１１のゲートの夫々に接続されている。トランジスタＰＴ１のソース／ドレインの一方は、容量電圧信号ＶＣＯＭＨが供給される信号線に接続されている。また、トランジスタＰＴ１のソース／ドレインの他方は、トランジスタＮＴ１１のソース／ドレインの一方及び第ｋ行の保持容量線ＳＣ＃ｋの夫々に接続されている。トランジスタＮＴ１１のソース／ドレインの一方は、トランジスタＰＴ１のソース／ドレインの他方及び第ｋ行の保持容量線ＳＣ＃ｋの夫々に接続されている。トランジスタＮＴ１１のソース／ドレインの他方は、容量電圧信号ＶＣＯＭＬが供給される信号線に接続されている。
【００５６】
トランジスタＮＴ８のソース／ドレインの一方は、ローレベルの電位レベルを有する低位電源ＶＥＥに接続されている。トランジスタＮＴ８のソース／ドレインの他方は、トランジスタＮＴ６のソース／ドレインの一方に接続されている。トランジスタＮＴ８のゲートは、リセット信号Ｓ＿ＲＳＴが供給される信号線に接続されている。
【００５７】
トランジスタＮＴ９のソース／ドレインの一方は、ローレベルの電位レベルを有する低位電源ＶＥＥに接続されている。トランジスタＮＴ９のソース／ドレインの他方は、トランジスタＮＴ７のソース／ドレインの他方に接続されている。トランジスタＮＴ９のゲートは、走査信号Ｇａｔｅ＿ｋ−１が供給される第ｋ−１行の走査線１３に接続されている。
【００５８】
また、トランジスタＮＴ１０のソース／ドレインの一方は、低電圧側の電位ＶＥＥに接続されている。トランジスタＮＴ１０のソース／ドレインの他方は、トランジスタＮＴ７のソース／ドレインの他方に接続されている。トランジスタＮＴ１０のゲートは、走査信号Ｇａｔｅ＿ｋ＋１が供給される第ｋ＋１行の走査線１３に接続されている。
【００５９】
以上は、第ｋ行の保持容量線駆動ユニット５１＃ｋの構成について説明しているが、第ｋ＋１行の保持容量線駆動ユニット５１＃ｋ＋１についても概ね同一の構成を有している。但し、第ｋ＋１行の保持容量線駆動ユニット５１＃ｋ＋１では、トランジスタＮＴ２のゲート、極性信号ＰＯＬが供給される信号線に接続されており、且つトランジスタＮＴ３のゲートが、反転極性信号ＸＰＯＬが供給される信号線に接続されているという点において、第ｋ行の保持容量線駆動ユニット＃ｋとは異なっている。そして、偶数行には、このような２種類の保持容量線駆動ユニット５１のうちの一方が設けられ、奇数行には、このような２種類の保持容量線駆動ユニット５１のうちの他方が設けられる。つまり、２種類の保持容量線駆動ユニット５１が交互に設けられる。
【００６０】
（３）動作の流れ
続いて、保持容量線駆動ユニット５１の動作について説明する。
【００６１】
（３−１）リセット動作
まず、初めに、図５を参照しながら、保持容量線駆動回路５のリセットの動作について説明する。ここに、図５は、保持容量線駆動回路５のリセットの動作に伴う信号の時系列的な変化を示すタイミングチャートである。
【００６２】
図５に示すように、電源（ＶＤＤ）が立ち上げられると共に、容量電圧信号ＶＣＯＭＨが立ち上げられる。次に、本実施形態では、リセット信号Ｓ＿ＲＳＴが１度だけハイレベル（アクティブレベル）となる。リセット信号Ｓ＿ＲＳＴは、外部電源の電位を常時検出するドライバＩＣ１２の出力であり、電源電位が所定値以上になり、電源（ＶＤＤ）が立ち上げられた際に、ハイレベルとなる信号である。これにより、図４に示すトランジスタＮＴ５及びトランジスタＮＴ８の夫々がオン状態になる。その結果、ラッチ回路５２の端子Ｑ側の電位がＶＥＥ（ローレベル）になると共に、ラッチ回路５２の端子／Ｑ側の電位は、ハイレベルとなる。これにより、トランジスタＮＴ６は、オフ状態のままであると共に、トランジスタＮＴ７は、オン状態となる。
【００６３】
そして、トランジスタＮＴ８がオン状態であるので、ラッチ回路５３の端子／Ｑの電位がローレベルになると共に、ラッチ回路５３の端子Ｑの電位がハイレベルとなる。そして、インバータ５４の入力端子の電位がハイレベルとなることにより、インバータ５４の出力端子の電位は、ローレベルとなる。その結果、トランジスタＰＴ１がオン状態になると共に、トランジスタＮＴ１１はオフ状態となる。そして、容量電圧信号ＶＣＯＭＨが保持容量線ＳＣに印加される。つまり、Ｎ本の保持容量線ＳＣに対して、容量電圧信号ＶＣＯＭＨが印加される。このように、リセット信号Ｓ＿ＲＳＴが入力されることにより、Ｎ本の保持容量線ＳＣの電位が一斉に容量電圧信号ＶＣＯＭＨに固定（リセット）される。
【００６４】
（３−２）保持容量線駆動動作
続いて、図６を参照して、保持容量線駆動回路５による実際の保持容量線ＳＣの駆動動作について説明する。ここに、図６は、保持容量線駆動回路５による保持容量線ＳＣの駆動動作に伴う信号の時系列的な変化を示すタイミングチャートである。
【００６５】
まず、図６に示すように、極性信号ＰＯＬがハイレベルに立ち上げられると共に、反転極性信号ＸＰＯＬがローレベルに立ち下げられる。これにより、第ｋ行の保持容量線駆動ユニット５１＃ｋでは、トランジスタＮＴ２がオン状態になると共に、トランジスタＮＴ３はオフ状態となる。他方で、第ｋ＋１行の保持容量線駆動ユニット５１＃ｋ＋１では、トランジスタＮＴ２がオフ状態になると共に、トランジスタＮＴ３がオン状態となる。
【００６６】
その後、走査線１３に対する走査信号の供給を開始するためのトリガーとなる走査開始信号ＳＴＶがハイレベルに立ち上げられる。これにより、走査線駆動回路３からＮ本の走査線１３に対して順次走査信号が供給される。具体的には、図６に示すように、第１行の走査線１３から第Ｎ行の走査線１３に対して、順次ハイレベルに切り替わる走査信号Ｇａｔｅ＿１から走査信号ＧＡＴＥ＿Ｎが印加される。
【００６７】
ここで、第ｋ行の保持容量線駆動ユニット５１＃ｋの動作に着目して説明を進める。第ｋ行の保持容量線駆動ユニット５１＃ｋでは、第ｋ行の走査線１３に供給される走査信号ＧＡＴＥ＿ｋがハイレベルとなるタイミングで、トランジスタＮＴ１及びトランジスタＮＴ４がオン状態となる。また、極性信号ＰＯＬがハイレベルに立ち上げられると共に、反転極性信号ＸＰＯＬがローレベルに立ち下げられているため、トランジスタＮＴ２がオン状態となると共に、トランジスタＮＴ３がオフ状態となっている。その結果、ラッチ回路５２の端子Ｑ側の電位がローレベルになると共に、端子／Ｑ側の電位は、ハイレベルとなる。これにより、トランジスタＮＴ６は、オフ状態のままであると共に、トランジスタＮＴ７は、オン状態になる。
【００６８】
そして、後段行の走査線駆動ユニット３１（つまり、第ｋ＋１行の走査線駆動ユニット３１＃ｋ＋１）から供給される走査信号ＧＡＴＥ＿ｋ＋１がハイレベルとなるタイミングで、トランジスタＴＮ１０がオン状態になる。その結果、トランジスタＮＴ７のソース／ドレインの他方の電位は、ローレベルとなる。これにより、トランジスタＮＴ７がオン状態となっているため、ラッチ回路５３の端子／Ｑの電位はローレベルになると共に、ラッチ回路５３の端子Ｑの電位はハイレベルになる。その結果、インバータ５４の入力端子の電位がハイレベルとなることにより、インバータ５４の出力端子の電位はローレベルとなる。その結果、トランジスタＰＴ１がオン状態になると共に、トランジスタＮＴ１１はオフ状態となる。そして、容量電圧信号ＶＣＯＭＨが保持容量線ＳＣ＃ｋに印加される。つまり、第ｋ行の保持容量線ＳＣ＃ｋの電位が、ローレベルからハイレベルに切り替えられる。
【００６９】
このとき、第ｋ＋１行の保持容量線駆動ユニット５１＃ｋ＋１は、第ｋ行の保持容量線駆動ユニット５１＃ｋと異なり、トランジスタＮＴ２のゲートに対して反転極性信号ＸＰＯＬが入力され、トランジスタＮＴ３のゲートに対して極性信号ＰＯＬが入力されている。このため、第ｋ＋１行の保持容量線駆動ユニット５１＃ｋ＋１のラッチ回路５２及びラッチ回路５３には、第ｋ行の保持容量線駆動ユニット５１＃ｋのラッチ回路５２及びラッチ回路５３に蓄積される信号と逆の極性の信号が記憶される。従って、第ｋ＋１行の保持容量線ＳＣ＃ｋ＋１に対しては、後段行の走査線駆動ユニット３１（つまり、第ｋ＋２行の走査線駆動ユニット３１＃ｋ＋２）から供給される走査信号ＧＡＴＥ＿ｋ＋２がハイレベルとなるタイミングで、トランジスタＰＴ１がオフ状態になると共に、トランジスタＮＴ１１は、オン状態となる。その結果、容量電圧信号ＶＣＯＭＬが保持容量線ＳＣ＃ｋ＋１に印加される。つまり、第２行の保持容量線ＳＣ＃ｋ＋１の電位が、ハイレベルからローレベルに切り替えられる。
【００７０】
そして、１垂直走査期間経過した後、極性信号ＰＯＬ及び反転極性信号ＸＰＯＬの信号が反転されると共に、走査開始信号ＳＴＶが再びハイレベルになる。
【００７１】
ここで、第Ｎ行の保持容量線駆動ユニット５１＃Ｎでは、上述したように、後段行の走査線駆動ユニット３１（つまり、第Ｎ＋１行の走査線駆動ユニット３１＃Ｎ＋１）から供給される走査信号ＧＡＴＥ＿Ｎ＋１に代えて、走査開始信号ＳＴＶを用いている。つまり、第Ｎ行の保持容量線駆動ユニット５１＃Ｎが備えるトランジスタＴＮ１０には、後段行の走査線駆動ユニット３１（つまり、第Ｎ＋１行の走査線駆動ユニット３１＃Ｎ＋１）から供給される走査信号ＧＡＴＥ＿Ｎ＋１に代えて、走査開始信号ＳＴＶが入力される。このため、第Ｎ行の保持容量線駆動ユニット５１＃Ｎは、走査開始信号ＳＴＶがハイレベルとなるタイミングで、容量電圧信号ＶＣＯＭＬを保持容量線ＳＣ＃Ｎに印加している。
【００７２】
また、走査開始信号ＳＴＶが再びハイレベルになるため、新たな垂直走査期間が開始する。これにより、先の垂直走査期間で印加された容量電圧信号と逆の極性の容量電圧信号が保持容量線ＳＣに印加される。つまり、第ｋ行の保持容量線ＳＣ＃ｋに対して、後段行の走査線駆動ユニット３１（つまり、第ｋ＋１行の走査線駆動ユニット３１＃ｋ＋１）から供給される走査信号ＧＡＴＥ＿ｋ＋１がハイレベルとなるタイミングで、容量電圧信号ＶＣＯＭＬが印加される。同様に、第ｋ＋１行の保持容量線ＳＣ＃ｋ＋１に対して、後段行の走査線駆動ユニット３１（つまり、第ｋ＋２行の走査線駆動ユニット３１＃ｋ＋２）から供給される走査信号ＧＡＴＥ＿ｋ＋２がハイレベルとなるタイミングで、容量電圧信号ＶＣＯＭＨが印加される。
【００７３】
以上説明したように、本実施形態に係る液晶装置１００によれば、第Ｎ行の保持容量線駆動ユニット５１＃Ｎに対応する後段行の走査線駆動ユニット３１が存在しない場合であっても、走査開始信号ＳＴＶに基づいて、第Ｎ行の保持容量線ＳＣ＃Ｎに対して容量電圧信号ＶＣＯＭＨ又は容量電圧信号ＶＣＯＭＬを供給することができる。つまり、走査線駆動ユニット３１の数を保持容量線駆動ユニット５１の数と同一にした場合であっても、第Ｎ行の保持容量線ＳＣに対する容量電圧信号ＶＣＯＭＨ又は容量電圧信号ＶＣＯＭＬの供給を好適に行うことができる。これにより、走査線駆動ユニット３１を１つ又は２つ以上余分に設ける必要がなくなるため、走査線駆動回路３の回路面積の増大を好適に抑制することができる。従って、走査線駆動回路３の回路面積の増大を好適に抑制することができる。従って、液晶装置１００の狭額縁化を図ることができる。
【００７４】
また、走査開始信号ＳＴＶは、Ｎ本の走査線１３への一連の走査信号の供給が開始されるタイミングに同期してハイレベルとなる信号であるため、第Ｎ行の走査線駆動ユニット３１から供給される走査信号ＧＡＴＥ＿Ｎがハイレベルとなった後にハイレベルに立ち上がる信号である。このため、仮に第Ｎ行の保持容量線駆動ユニット５１＃Ｎが、走査開始信号ＳＴＶがハイレベルとなるタイミングに同期して、電位レベルを切り替えた容量電圧信号ＶＣＯＭＨ又は容量電圧信号ＶＣＯＭＬを第Ｎ行の保持容量線ＳＣ＃Ｎに対して供給したとしても、その時点で第Ｎ行の画素部２１への画像信号の書き込みは終了している。従って、液晶装置１００の動作に対して技術的な不都合をきたすことは殆ど或いは全くない。従って、上述したように走査線駆動回路３の回路面積の増大を好適に抑制しつつも、Ｎ本の保持容量線ＳＣに対する容量電圧信号ＶＣＯＭＨ又は容量電圧信号ＶＣＯＭＬの供給を好適に行うことができる。
【００７５】
尚、液晶装置１００の好適な動作に悪影響を与えないと言う観点からは、第Ｎ行の保持容量線駆動ユニット５１＃Ｎでは、走査開始信号ＳＴＶに代えて、第１行の走査線駆動ユニット３１＃１から供給される走査信号ＧＡＴＥ＿１を用いてもよい。つまり、第Ｎ行の保持容量線駆動ユニット５１＃Ｎが備えるトランジスタＴＮ１０には、走査開始信号ＳＴＶに代えて、第１行の走査線駆動ユニット３１から供給される走査信号ＧＡＴＥ＿１が入力される。この場合、第Ｎ行の保持容量線駆動ユニット５１＃Ｎは、走査信号ＧＡＴＥ＿１がハイレベルとなるタイミングで、電位レベルを切り替えた容量電圧信号ＶＣＯＭＨ又は容量電圧信号ＶＣＯＭＬを保持容量線ＳＣ＃Ｎに印加する。或いは、第Ｎ行の保持容量線駆動ユニット５１＃Ｎでは、走査開始信号ＳＴＶ及び走査信号ＧＡＴＥ＿１に代えて、第１行付近の走査線駆動ユニット３１から供給される走査信号を用いてもよい。但し、第１行又は第１行付近の走査線駆動ユニット３１から供給される走査信号を第Ｎ行の保持容量線駆動ユニット３１＃Ｎに対して供給するための取り回し配線が相対的に長くなってしまうということを考慮すれば、ドライバＩＣ１２が保持容量線駆動回路５に対して直接供給する走査開始信号ＳＴＶを用いることがより好ましい。
【００７６】
また、本実施形態では、２つの保持容量線駆動回路５ａ及び５ｂが、保持容量線ＳＣの一方端と他方端とに設けられている。このため、保持容量線ＳＣが１つの保持容量線駆動回路によって駆動される場合と異なり、保持容量線ＳＣの抵抗値や寄生容量を小さくすることができる。
【００７７】
また、本実施形態では、２つの保持容量線駆動回路５ａ及び５ｂに入力されるリセット信号Ｓ＿ＲＳＴに基づいて保持容量線ＳＣの電位を容量電圧信号ＶＣＯＭＨの電位レベルに固定するように構成している。このため、２つの保持容量線駆動回路５ａ及び５ｂから保持容量線ＳＣに異なる電圧が印加されるのを抑制することができる。これにより、保持容量線駆動回路５ａ（５ｂ）から保持容量線駆動回路５ｂ（５ａ）に向かって、保持容量線ＳＣを介してリーク電流が流れるのを抑制することができる。
【００７８】
また、本実施形態では、保持容量線ＳＣが固定される電位を容量電圧信号ＶＣＯＭＨの電位レベルに設定している。つまり、保持容量線ＳＣを反転駆動させるための高電圧側の電位である容量電圧信号ＶＣＯＭＨを、保持容量線ＳＣをリセットするための電位として用いることができる。このため、保持容量線ＳＣをリセットするための電位を別途生成する必要がなくなる。これにより、液晶装置１００の構成を簡略にすることができる。
【００７９】
また、本実施形態では、リセット信号Ｓ＿ＲＳＴが、電源ＶＤＤがオン状態になった後から走査線１３に対して走査信号の供給が開始されるまでの間に、１度だけアクティブとなるように構成している。このため、最小限の動作で、リセットが行えるので、低消費電力を実現できる。なお、電源ＶＤＤがオン状態になった後から走査線１３に対して走査信号の供給が開始されるまでの間に、リセット信号Ｓ＿ＲＳＴを複数回、アクティブとしてもよい。このようにすれば、よりリセットの動作をより確実に行うことができる。
【００８０】
また、本実施形態では、複数の保持容量線ＳＣの電位をリセット信号Ｓ＿ＲＳＴに基づいて一斉に固定するように構成している。このため、複数の保持容量線ＳＣの電位が順次固定される場合と異なり、リセットの動作をすばやく行うことができる。
【００８１】
また、本実施形態では、上記のように、トランジスタＮＴ５及びＮＴ８にリセット信号Ｓ＿ＲＳＴが入力されることにより、トランジスタＮＴ５及びＮＴ８がオン状態になることによって、保持容量線ＳＣの電位が固定されるように構成している。このため、容易に、保持容量線ＳＣの電位を固定することができる。
【００８２】
また、本実施形態では、上記のように、２つの保持容量線駆動回路５ａ及び５ｂを、表示部２を挟んで対向するように配置している。このため、容易に、保持容量線ＳＣの一方端と他方端とに保持容量線駆動回路５ａ及び５ｂを設けることができる。
【００８３】
尚、図６に示すタイミングチャートは、走査線駆動回路３が、単方向スキャン（特に、順方向（１行目からＮ行目）に向かう単方向スキャン）を行う場合の保持容量線ＳＣの容量電圧信号のタイミングチャートを示している。この場合は、図４に示す保持容量線駆動ユニット５１のトランジスタＴＮ９については、必ずしも設けなくともよい。しかしながら、トランジスタＴＮ９を設けることで、単方向スキャンのみならず、走査線駆動回路３が、双方向スキャン（順方向スキャンと逆方向（Ｎ行目から１行目に向かう）スキャン）を行う場合であっても、上述した各種効果を享受することができる。
【００８４】
具体的には、走査線駆動回路３が、双方向スキャンを行う場合には、以下のように動作する。まず順方向スキャンの場合、第ｋ行の保持容量線駆動ユニット５１＃ｋでは、後段行の走査線駆動ユニット３１（つまり、第ｋ＋１行の走査線駆動ユニット３１＃ｋ＋１）から供給される走査信号ＧＡＴＥ＿ｋ＋１がハイレベルとなるタイミングで、電位レベルが切り替えられた容量電圧信号ＶＣＯＭＨ又は容量電圧信号ＶＣＯＭＬを供給する。尚、第ｋ行の保持容量線駆動ユニット５１＃ｋは、前段行の走査線駆動ユニット３１（つまり、第ｋ−１行の走査線駆動ユニット３１＃ｋ−１）から供給される走査信号ＧＡＴＥ＿ｋ−１がハイレベルとなるタイミングで、容量電圧信号ＶＣＯＭＨ又は容量電圧信号ＶＣＯＭＬを供給するが、この容量電圧信号は、１フレーム前の容量電圧信号と同じ信号であるので、容量電圧信号の電位レベルは切り替わらない。又、逆方向スキャンの場合、第ｋ行の保持容量線駆動ユニット５１＃ｋでは、前段行の走査線駆動ユニット３１（つまり、第ｋ−１行の走査線駆動ユニット３１＃ｋ−１）から供給される走査信号ＧＡＴＥ＿ｋ−１がハイレベルとなるタイミングで、電位レベルが切り替えられた容量電圧信号ＶＣＯＭＨ又は容量電圧信号ＶＣＯＭＬを供給する。尚、第ｋ行の保持容量線駆動ユニット５１＃ｋは、後段行の走査線駆動ユニット３１（つまり、第ｋ＋１行の走査線駆動ユニット３１＃ｋ＋１）から供給される走査信号ＧＡＴＥ＿ｋ＋１がハイレベルとなるタイミングで、容量電圧信号ＶＣＯＭＨ又は容量電圧信号ＶＣＯＭＬを供給するが、この容量電圧信号は、１フレーム前の容量電圧信号と同じ信号であるので、容量電圧信号の電位レベルは切り替わらない。
【００８５】
ここで、双方向スキャンを行う場合には、第Ｎ行の保持容量線駆動ユニット５１＃Ｎでは、逆方向スキャンの場合には、前段行の走査線駆動ユニット３１（つまり、第Ｎ−１行の走査線駆動ユニット３１＃Ｎ−１）から供給される走査信号ＧＡＴＥ＿Ｎ−１がハイレベルとなるタイミングで、又は、順方向スキャンの場合には走査開始信号ＳＴＶがハイレベルとなるタイミングで、電位レベルが切り替えられた容量電圧信号ＶＣＯＭＨ又は容量電圧信号ＶＣＯＭＬを供給する。
【００８６】
また、第１行の保持容量線駆動ユニット５１＃１では、上述したように、前段行の走査線駆動ユニット３１（つまり、第０行の走査線駆動ユニット３１＃０）から供給される走査信号ＧＡＴＥ＿０に代えて、走査開始信号ＳＴＶを用いている。つまり、第１行の保持容量線駆動ユニット５１＃１が備えるトランジスタＴＮ９には、前段行の走査線駆動ユニット３１（つまり、第０行の走査線駆動ユニット３１＃０）から供給される走査信号ＧＡＴＥ＿０に代えて、走査開始信号ＳＴＶが入力される。このため、双方向スキャンを行う場合には、第１行の保持容量線駆動ユニット５１＃１では、順方向スキャンの場合には後段行の走査線駆動ユニット３１（つまり、第２行の走査線駆動ユニット３１＃２）から供給される走査信号ＧＡＴＥ＿２がハイレベルとなるタイミングで、又は、逆方向スキャンの場合には走査開始信号ＳＴＶがハイレベルとなるタイミングで、電位レベルが切り替えられた容量電圧信号ＶＣＯＭＨ又は容量電圧信号ＶＣＯＭＬを供給する。
【００８７】
（４）変形例
続いて、図７を参照して、本実施形態に係る保持容量線駆動回路５の変形例について説明する。ここに、図７は、変形例に係る走査線駆動回路３と保持容量線駆動回路５との間の配線図である。
【００８８】
図７に示すように、変形例に係る走査線駆動回路３及び保持容量線駆動回路５は、図３において説明した構成と同様の構成を有している。変形例では特に、インバータ５２１ａ、論理積回路５２２ａ及びインバータ５２３ａを備える接続回路５２ａと、インバータ５２１ｂ、論理積回路５２２ｂ及びインバータ５２３ｂを備える接続回路５２ｂとが備えられている。
【００８９】
インバータ５２１ａの入力端子は、走査信号ＧＡＴＥ＿Ｎが供給される第Ｎ行の走査線１３に接続されている。インバータ５２１ａの出力端子は、論理積回路５２２ａの一方の入力端子に接続されている。論理積回路５２２ａの他方の入力端子は、走査開始信号ＳＴＶが供給される信号線に接続されている。論理積回路５２２ａの出力端子は、インバータ５２３ａの入力端子に接続されている。インバータ５２３ａの出力端子は、第Ｎ行の保持容量線駆動ユニット５１＃Ｎ（特に、第Ｎ行の保持容量線駆動ユニット５１＃Ｎが備えるトランジスタＮＴ１０）に接続される。
【００９０】
インバータ５２１ｂの入力端子は、走査信号ＧＡＴＥ＿１が供給される第１行の走査線１３に接続されている。インバータ５２１ｂの出力端子は、論理積回路５２２ｂの一方の入力端子に接続されている。論理積回路５２２ｂの他方の入力端子は、走査開始信号ＳＴＶが供給される信号線に接続されている。論理積回路５２２ｂの出力端子は、インバータ５２３ｂの入力端子に接続されている。インバータ５２３ｂの出力端子は、第１行の保持容量線駆動ユニット５１＃１（特に、第１行の保持容量線駆動ユニット５１＃Ｎが備えるトランジスタＮＴ９）に接続される。
【００９１】
このため、第Ｎ行の保持容量線駆動ユニット５１＃Ｎでは、前段行の走査線駆動ユニット３１（つまり、第Ｎ−１行の走査線駆動ユニット３１＃Ｎ−１）から供給される走査信号ＧＡＴＥ＿Ｎ−１がハイレベルとなるタイミングで又は走査開始信号ＳＴＶと第Ｎ行の走査線駆動ユニット３１＃Ｎから供給される走査信号ＧＡＴＥ＿Ｎの反転信号との論理積がハイレベルとなるタイミングで、電位レベルが切り替えられた容量電圧信号ＶＣＯＭＨ又は容量電圧信号ＶＣＯＭＬを供給する。
【００９２】
同様に、第１行の保持容量線駆動ユニット５１＃１では、後段行の走査線駆動ユニット３１（つまり、第２行の走査線駆動ユニット３１＃２）から供給される走査信号ＧＡＴＥ＿２がハイレベルとなるタイミングで又は走査開始信号ＳＴＶと第１行の走査線駆動ユニット３１＃１から供給される走査信号ＧＡＴＥ＿１の反転信号との論理積がハイレベルとなるタイミングで、電位レベルが切り替えられた容量電圧信号ＶＣＯＭＨ又は容量電圧信号ＶＣＯＭＬを供給する。
【００９３】
ここで、走査開始信号ＳＴＶは、走査信号とは別個独立に供給される信号であるため、順方向スキャンを行っている場合には、第Ｎ行の走査線１３に供給される走査信号ＧＡＴＥ＿Ｎがハイレベルとなるタイミングと走査開始信号ＳＴＶがハイレベルとなるタイミングに意図せぬズレが生じてしまう可能性も否定できない。同様に、逆方向スキャンを行っている場合には、第１行の走査線１３に供給される走査信号ＧＡＴＥ＿１がハイレベルとなるタイミングと走査開始信号ＳＴＶがハイレベルとなるタイミングに意図せぬズレが生じてしまう可能性も否定できない。
【００９４】
この場合であっても、変形例によれば、順方向スキャンを行っている場合には、第Ｎ行の保持容量線駆動ユニット５１＃Ｎでは、走査開始信号ＳＴＶがハイレベルとなり且つ第Ｎ行の走査線駆動ユニット３１＃Ｎから供給される走査信号ＧＡＴＥ＿Ｎがローレベルとなるタイミングに同期して、電位レベルを切り替えた容量電圧信号ＶＣＯＭＨ又は容量電圧信号ＶＣＯＭＬを第Ｎ行の保持容量線ＳＣ＃Ｎに対して供給することができる。従って、第Ｎ行の走査線駆動ユニット３１＃Ｎから供給される走査信号ＧＡＴＥ＿Ｎがオン電圧となっている期間中に、第Ｎ行の保持容量線ＳＣ＃Ｎに対して、電位レベルが切り替えられた容量電圧信号ＶＣＯＭＨ又は容量電圧信号ＶＣＯＭＬが供給されてしまうという技術的な不都合を好適に抑制することができる。言い換えれば、第Ｎ行への画像信号の書き込みが行われている途中のタイミングで、第Ｎ行の保持容量線ＳＣ＃Ｎに対して、電位レベルが切り替えられた容量電圧信号ＶＣＯＭＨ又は容量電圧信号ＶＣＯＭＬが供給されてしまう技術的な不都合を好適に抑制することができる。
【００９５】
同様に、逆方向スキャンを行っている場合には、第１行の保持容量線駆動ユニット５１＃１では、走査開始信号ＳＴＶがハイレベルとなり且つ第１行の走査線駆動ユニット３１＃１から供給される走査信号ＧＡＴＥ＿１がローレベルとなるタイミングに同期して、電位レベルを切り替えた容量電圧信号ＶＣＯＭＨ又は容量電圧信号ＶＣＯＭＬを第１行の保持容量線ＳＣ＃１に対して供給することができる。従って、第１行の走査線駆動ユニット３１＃１から供給される走査信号ＧＡＴＥ＿１がハイレベルとなっている期間中に、第１行の保持容量線ＳＣ＃１に対して、電位レベルが切り替えられた容量電圧信号ＶＣＯＭＨ又は容量電圧信号ＶＣＯＭＬが供給されてしまうという技術的な不都合を好適に抑制することができる。言い換えれば、第１行への画像信号の書き込みが行われている途中のタイミングで、第１行の保持容量線ＳＣ＃１に対して、電位レベルが切り替えられた容量電圧信号ＶＣＯＭＨ又は容量電圧信号ＶＣＯＭＬが供給されてしまう技術的な不都合を好適に抑制することができる。
【００９６】
これにより、液晶装置１００の動作のより一層の安定化を図ることができる。
【００９７】
（５）電子機器
続いて、図８及び図９を参照しながら、上述の液晶装置１００を具備してなる電子機器の例を説明する。
【００９８】
図８は、上述した液晶装置１００が適用されたモバイル型のパーソナルコンピュータの斜視図である。図８において、コンピュータ１２００は、キーボード１２０２を備えた本体部１２０４と、上述した液晶装置１００を含んでなる液晶表示ユニット１２０６とから構成されている。液晶表示ユニット１２０６は、液晶装置１００の背面にバックライトを付加することにより構成されている。
【００９９】
次に、上述した液晶装置１００を携帯電話に適用した例について説明する。図９は、電子機器の一例である携帯電話の斜視図である。図９において、携帯電話１３００は、複数の操作ボタン１３０２と共に、半透過反射型の表示形式を採用し、且つ上述した液晶装置１００と同様の構成を有する液晶装置１００５を備えている。
【０１００】
これらの電子機器においても、上述した液晶装置１００を含んでいるため、上述した各種効果を好適に享受することができる。
【０１０１】
尚、図８及び図９を参照して説明した電子機器の他にも、液晶テレビ、ビューファインダ型又はモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた直視型の表示装置や、液晶プロジェクタ等の投射型の表示装置等が挙げられる。そして、これらの各種電子機器に適用可能なのは言うまでもない。
【０１０２】
本発明は、上述した実施例に限られるものではなく、請求の範囲及び明細書全体から読み取れる発明の要旨或いは思想に反しない範囲で適宜変更可能であり、そのような変更を伴なう電気光学装置及び電子機器もまた本発明の技術的範囲に含まれるものである。
【符号の説明】
【０１０３】
３…走査線駆動回路、３１…走査線駆動ユニット、１３…走査線、５…保持容量線駆動回路、５１…保持容量線駆動ユニット、ＳＣ…保持容量線、ＳＴＶ…走査開始信号
【図１】
2010197485.tif 000003
【図２】
2010197485.tif 000004
【図３】
2010197485.tif 000005
【図４】
2010197485.tif 000006
【図５】
2010197485.tif 000007
【図６】
2010197485.tif 000008
【図７】
2010197485.tif 000009
【図８】
2010197485.tif 000010
【図９】
2010197485.tif 000011